【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】  フローサイトメトリーを行う方法であって、以下：
ａ．流体の流れを確立する工程；
ｂ．該流体の流れに粒子を乗せる工程；
ｃ．該流体の流れに摂動を与える工程；
ｄ．液滴を形成する工程であって、該液滴のいくつかが該粒子を含む、工程；
ｅ．該液滴に含まれる該粒子を分析する工程；
ｆ．該粒子の少なくとも１つの特徴の分析に基づいて、該液滴を荷電する工程；
ｇ．該液滴の電荷に基づいて該液滴を偏向させる工程；
ｈ．液滴収集要素の該電荷を接地に散逸させる工程であって、ここで該液滴収集デバイスは、電気伝導性ポリマーを含む、工程；および
ｉ．該液滴収集要素中に該液滴を収集する工程、
を包含する、方法。
【請求項２】  前記液滴収集要素上の電荷を中和する工程をさらに包含する、請求項１に記載のフローサイトメトリーを行う方法。
【請求項３】  前記液滴収集要素を実質的に固定された方向に固定する工程をさらに包含する、請求項１に記載のフローサイトメトリーを行う方法。
【請求項４】  複数の前記液滴収集要素を実質的に固定された空間的配置に固定する工程をさらに包含する、請求項２に記載のフローサイトメトリーを行う方法。
【請求項５】  実質的に固定された空間的配置にある前記複数の液滴収集要素上の電荷を散逸させる工程をさらに包含する、請求項４に記載のフローサイトメトリーを行う方法。
【請求項６】  実質的に固定された空間的配置を有する前記複数の液滴収集要素上の電荷を中和する工程をさらに包含する、請求項５に記載のフローサイトメトリーを行う方法。
【請求項７】  前記ポリマーが、カーボンポリマーを含む、請求項１に記載のフローサイトメトリーを行う方法。
【請求項８】  前記カーボンポリマーが、交互の単結合および二重結合を有する、請求項１に記載のフローサイトメトリーを行う方法。
【請求項９】  材料格納デバイスであって、以下：
ａ．少なくとも１つの容器；
ｂ．別々の量の電気伝導性の材料であって、該電気伝導性の材料は、該容器が接地された場合に中性電荷を維持するのに十分に、該容器中に含浸されている、電気伝導性の材料；および
ｃ．容器固定要素であって、該容器固定要素は、該容器が接地された場合に中性電荷を維持するのに十分に、含浸されている別々の量の電気伝導性材料を有する、容器固定要素、
を含む、デバイス。
【請求項１０】  前記容器が、実質的に非電気伝導性の材料から構成される容器を含む、請求項９に記載の材料格納デバイス。
【請求項１１】  前記容器が、プラスチック材料から構成される容器を含む、請求項９に記載の材料格納デバイス。
【請求項１２】  前記プラスチック材料が、ポリスチレン、ポリカーボネート、ポリプロピレン、ポリアクリレート、およびフルオロカーボンからなる群より選択される、請求項１１に記載の材料格納デバイス。
【請求項１３】  前記容器本体中に含浸されている前記電気伝導性の材料が、その中で電子が伝達され得るカーボンポリマーを含む、請求項９に記載の材料格納デバイス。
【請求項１４】  前記少なくとも１つの容器が、行列で構成された複数の容器を含む、請求項１０、１１、１２または１３に記載の材料格納デバイス。
【請求項１５】  前記少なくとも１つの行列で構成された容器が、１２、２４、４８および９６からなる群より選択される数のウェルを有するウェルのあるトレイを含む、請求項１４に記載の材料格納デバイス。
【請求項１６】  前記少なくとも１つの材料格納要素が、１つの閉じた端を有するチューブを含む、請求項１０、１１、１２または１３に記載の材料格納デバイス。
【請求項１７】  前記少なくとも１つの容器をある位置に位置付けるための容器固定要素移動手段をさらに備える、請求項１６に記載の材料格納デバイス。
【請求項１８】  液滴収集器であって、以下：
ａ．液体の流れ；
ｂ．前記液体の流れに応答性の液滴形成要素；
ｃ．該液滴形成要素によって形成された複数の液滴；
ｄ．該液滴の少なくともいくつかがその中に収集される、液滴収集要素であって、該液滴収集要素は、電気伝導性ポリマーから構成される、液滴収集要素；および
ｅ．前記液滴収集要素に電気的に接続された、電荷散逸要素、
を備える、液滴収集器。
【請求項１９】  前記電荷散逸要素が、接地接続を含む、請求項１８に記載の液滴収集器。
【請求項２０】  前記接地接続が、前記液滴収集要素と接地との間に接続された電気伝導体を含む、請求項１９に記載の液滴収集器。
【請求項２１】  前記液滴収集要素が、１つの閉じた端を有する実質的に管状の構造を含む、請求項１８に記載の液滴収集器。
【請求項２２】  前記液滴収集要素が、実質的に管状の構造を有する、複数の前記液滴収集要素を含む、請求項１８に記載の液滴収集器。
【請求項２３】  実質的に管状の構造の前記複数の液滴収集要素が、行列で幾何学的に配列されている、請求項２２に記載の液滴収集器。
【請求項２４】  行列で幾何学的に配列された、実質的に管状の構造の前記複数の液滴収集要素が、１２、２４、４８および９６からなる群より選択される数の液滴収集要素を有する、請求項２３に記載の液滴収集器。
【請求項２５】  請求項１８に記載の液滴収集器であって、前記電気伝導性ポリマーが、そこを通って電子が伝達され得るカーボンポリマーを含む、液滴収集器。
【請求項２６】  前記カーボンポリマーが、交互の単結合および二重結合を有する、請求項２５に記載の液滴収集器。
【請求項２７】  請求項２６に記載の液滴収集器であって、液滴収集要素固定要素をさらに備え、該液滴収集要素固定要素は、電気伝導性ポリマーから構成されている、液的収集器。
【請求項２８】  少なくとも１つの前記容器本体をある位置に位置付けるための容器本体固定要素移動手段をさらに備える、請求項２７に記載の液滴収集器。
【請求項２９】  前記複数の液滴の少なくともいくつかに含まれる粒子をさらに含む、請求項２８に記載の液滴収集器。
【請求項３０】  前記粒子が、細胞である、請求項２９に記載の液滴収集器。
【請求項３１】  フローサイトメーターであって、以下：
ａ．流体の流れ；
ｂ．該流体の流れに乗せられる、粒子特徴を有する複数の粒子；
ｃ．前記流体の流れが出る開口部を有する、ノズル；
ｄ．該流体の流れが出る場合に、該ノズルの該開口部で液滴を生成する振動周波数を有する、振動子であって、該液滴の少なくとも一部が、該複数の粒子の１つを乗せる、振動子；
ｅ．粒子特徴分析器；
ｆ．該液滴に作動可能に応答性の液滴荷電器であって、該液滴荷電器は、前記粒子特徴の分析に基づいて、前記液滴の各々に対して電荷を付与する、液滴荷電器；
ｇ．該液滴を偏向させる、液滴デフレクター；および
ｈ．該偏向された液滴がその中に収集される、電気伝導性の液滴収集器であって、ここで該電気伝導性の液滴収集器は、電気伝導性ポリマーから構成される、液滴収集器、
を備える、フローサイトメーター。
【請求項３２】  前記電気伝導性の液滴収集器と接地との間で接地接続をさらに含む、請求項３１に記載のフローサイトメーター。
【請求項３３】  前記液滴収集器が、１つの閉じた端を有する実質的に管状の構造を含む、請求項３１に記載のフローサイトメーター。
【請求項３４】  前記液滴収集器が、１つの閉じた端を各々有する、複数の前記実質的に管状の構造を含む、請求項３１に記載のフローサイトメーター。
【請求項３５】  １つの閉じた端を各々有する、前記複数の実質的に管状の構造が、行列で幾何学的に配列されている、請求項３４に記載のフローサイトメーター。
【請求項３６】  行列で幾何学的に配列された、１つの閉じた端を各々有する、前記複数実質的に管状の構造が、１２、２４、４８および９６からなる群より選択される数の液滴収集要素を有する、請求項３５に記載のフローサイトメーター。
【請求項３７】  前記液滴収集器中に含浸された一定量の電気伝導性の材料をさらに含む、請求項３１、３４、または３５に記載のフローサイトメーター。
【請求項３８】  前記電気伝導性ポリマーが、そこを通って電子が伝達され得るカーボンポリマーを含む、請求項３７に記載のフローサイトメーター。
【請求項３９】  前記カーボンポリマーが、交互の単結合および二重結合を有する、請求項３８に記載のフローサイトメーター。
【請求項４０】  請求項３１に記載のフローサイトメーターであって、前記液滴収集器が、１つの閉じた端を各々有する前記実質的に管状の構造と嵌め合うように構成された固定要素をさらに備え、該固定要素は、電気伝導性ポリマーから構成される、フローサイトメーター。
【請求項４１】  請求項４０に記載の液滴収集器であって、前記固定要素に嵌め合わされた場合に、１つの閉じた端を各々有する前記実質的な管状の構造を位置付けるための、液滴収集器移動手段をさらに備える、液滴収集器。
【請求項４２】  前記複数の粒子が、細胞である、請求項３１に記載のフローサイトメーター。
【請求項４３】  前記電気伝導性の液滴収集器が、選択的に調整可能な電荷を有する材料格納要素の一部分を有する、請求項３１に記載のフローサイトメーター。
【請求項４４】  前記材料格納要素の前記部分上に前記選択的に調整可能な電荷が、該材料格納要素に収集される液滴の電荷と反対の電荷を有する、請求項３１に記載のフローサイトメーター。
【請求項４５】  実質的に、本明細書中に記載され、そして記載の実施例のいずれかを参照される、方法。
【請求項４６】  実質的に、本明細書中に記載され、そして記載の実施例のいずれかを参照される、装置。
【請求項４７】  請求項９に記載の材料格納デバイスであって、該デバイスはさらに、以下：
ａ．流体の流れ；
ｂ．該流体の流れに乗せられる粒子；
ｃ．該流体の流れがそれに対して応答する振動要素；
ｄ．該振動要素によって生成される振動に応じて形成される液滴；
ｅ．少なくとも１つの粒子特徴を評価するための分析器；
ｆ．該少なくとも１つの粒子特徴に基づいて、該液滴を荷電するための手段；
ｇ．該液滴の電荷に基づいて、該液滴を偏向するための手段；
ｈ．該容器中に該液滴を集めるための手段、
を含む、材料格納デバイス。
【手続補正２】
【補正対象書類名】明細書
【補正対象項目名】００３２
【補正方法】変更
【補正の内容】
【００３２】
特許に関して、本出願において言及される法律、制定法、法規または規則の任意の行為；あるいは特許に関して本出願において言及される、特許、刊行物、または他の参考文献は、各々が参考として援用される。具体的には、米国仮特許出願第６０／２５６，０７０号（２０００年１２月１５日出願）は、任意の図面または添付物を含め、参考として援用される。
【手続補正３】
【補正対象書類名】明細書
【補正対象項目名】００３３
【補正方法】削除
【補正の内容】